(57)【要約】【課題】給湯機の追焚き循環回路に高濃度の酸素を混入させるとともに、燃焼中の排気ガスが酸素富化装置に入らないように工夫された酸素富化給湯装置を提供する。【解決手段】酸素富化装置２６を制御する制御手段３０と、吸気温度検出装置３５と、酸素運転を入力できる外部入力装置３１を有し、外部入力装置３１のスイッチを押すだけで酸素運転を可能にすると共に、吸気温度の変化で排ガス吸引状態を検出し、その検出結果で酸素運転を制御することで高濃度の酸素に排気ガスが混入することを防止する。【選択図】図１
2005273939.tif 000002
【特許請求の範囲】
【請求項１】
ポンプにより浴槽の湯が循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、前記追焚き循環回路に設けられた水位検出装置と、酸素富化装置を制御する制御手段と、酸素運転を入力できる外部入力装置とを有し、前記外部入力装置のスイッチ操作により前記水位検出装置が浴槽の湯を検出した場合には前記追焚き循環回路に混入させた高濃度の酸素を前記追焚きアダプタより噴出させる酸素運転を行うとともに、機器の燃焼開始時に吸気温度検出手段により検出した吸気温度を記憶し、機器の燃焼中に前記吸気温度が前記吸気温度記憶値に対して所定温度以上上昇した場合には前記酸素運転を停止する構成とした酸素富化給湯装置。
【請求項２】
機器の燃焼開始時に吸気温度検出手段により検出した吸気温度を記憶し、機器の燃焼中に吸気温度が前記吸気温度記憶値に対して所定時間の間に所定温度以上上昇した場合には前記酸素運転を停止する構成とした請求項１記載の酸素富化給湯装置。
【請求項３】
機器の燃焼開始時に吸気温度検出手段により検出した吸気温度を記憶し、機器の燃焼中に吸気温度が低下した場合には前記記憶値を更新し、機器の燃焼中に吸気温度が前記吸気温度記憶値に対して所定温度以上上昇した場合には前記酸素運転を停止する構成とした請求項１記載の酸素富化給湯装置。
【請求項４】
機器の燃焼開始時に吸気温度検出手段により検出した吸気温度を記憶し、機器の燃焼中に吸気温度が低下した場合には前記記憶値を更新し、機器の燃焼中に吸気温度が前記吸気温度記憶値に対して所定時間の間に所定温度以上上昇した場合には前記酸素運転を停止する構成とした請求項１記載の酸素富化給湯装置。
【請求項５】
機器の燃焼開始時に吸気温度検出手段により検出した吸気温度を記憶し、機器の燃焼中に吸気温度が前記吸気温度記憶値に対して所定温度以上上昇した場合には前記酸素運転を待機状態とし、燃焼終了時には前記酸素運転を再開する構成とした請求項１記載酸素富化給湯装置。
【請求項６】
機器の燃焼開始時に吸気温度検出手段により検出した吸気温度を記憶し、機器の燃焼中に吸気温度が前記吸気温度記憶値に対して所定時間の間に所定温度以上上昇した場合には前記酸素運転を待機状態とし、燃焼終了時には前記酸素運転を再開する構成とした請求項１記載酸素富化給湯装置。
【発明の詳細な説明】
【技術分野】
【０００１】
本発明は、追焚き循環回路を有する給湯器の追焚き配管を利用して、浴槽内の浴水中に酸素を供給する機能を有する給湯装置に関するものである。
【背景技術】
【０００２】
従来、この種の酸素供給装置は、ジェットバス等の浴槽水を循環させる管路に気体を供給する供給部を設け、この供給部に酸素富化空気を供給するための酸素富化装置を設けたものがある（例えば、特許文献１参照）。
【０００３】
図４は、前記特許文献１に記載された従来の浴槽内への酸素供給装置を示すものである。図４において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００４】
しかしながら、前記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００５】
本発明は、前記従来の課題を解決するもので、殆どの家庭で設置している、ポンプにより浴槽の湯が循環する追い焚き循環回路を有する給湯機の前記追焚き循環回路に、酸素富化装置からの高濃度の酸素を混入させ、浴槽に取付けられている追焚きアダプタより噴出させる構成とすることで、安価に取り付けでき、かつ循環流量も少なく長時間の酸素供給も可能であり、また機器の燃焼中の排気ガスが酸素富化装置に入らないように工夫された酸素富化給湯装置を提供することを目的とする。
【課題を解決するための手段】
【０００６】
前記従来の課題を解決するために、本発明の酸素富化給湯装置は、ポンプにより浴槽の湯が循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、前記追焚き循環回路に設けられた水位検出装置と、酸素富化装置を制御する制御手段と、酸素運転を入力できる外部入力装置とを有し、前記外部入力装置に設けた酸素運転スイッチの入力操作により前記水位検出装置が浴槽の湯を検出した場合には前記追焚き循環回路に混入させた高濃度の酸素を前記追焚きアダプタより噴出させる酸素運転酸素運転を行うとともに、機器の燃焼開始時に吸気温度検出手段により検出した吸気温度を記憶し、機器の燃焼中に吸気温度が前記吸気温度記憶値に対して所定温度以上上昇した場合には前記酸素運転を停止する構成としたものである。
【０００７】
これによって、常に使用する追焚き装置に酸素富化装置他を追加し、外部入力装置のスイッチを押せば高濃度の酸素を簡単に得ることができるようになり、燃焼中の排気が酸素富化装置に入らないように工夫された酸素富化給湯装置を提供することができる。
【発明の効果】
【０００８】
以上のように本発明によれば、外部入力装置のスイッチを押すだけで、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【発明を実施するための最良の形態】
【０００９】
第１の発明は、ポンプにより浴槽の湯が循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、前記追焚き循環回路に設けられた水位検出装置と、酸素富化装置を制御する制御手段と、酸素運転を入力できる外部入力装置とを有し、前記外部入力装置のスイッチ操作により前記水位検出装置が浴槽の湯を検出した場合には前記追焚き循環回路に混入させた高濃度の酸素を前記追焚きアダプタより噴出させる酸素運転を行うとともに、機器の燃焼開始時に吸気温度検出手段により検出した吸気温度を記憶し、機器の燃焼中に前記吸気温度が前記吸気温度記憶値に対して所定温度以上上昇した場合には前記酸素運転を停止する構成としたことを特徴とするもので、外部入力装置のスイッチを押すだけで、混入手段によって酸素富化装置からの高濃度の酸素は追焚き配管、追焚きアダプタから高濃度の酸素が気泡となって浴槽水の中を通過し、その後、浴室内に充満するようになる。また、吸気温度の変化により機器の燃焼状態を検出し燃焼中の排気が酸素富化装置に入らないように工夫されたものになる。この結果、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【００１０】
第２の発明は、前記第１の発明の酸素富化給湯装置において、機器の燃焼開始時に吸気温度検出手段により検出した吸気温度を記憶し、機器の燃焼中に吸気温度が前記吸気温度記憶値に対して所定時間の間に所定温度以上上昇した場合には酸素運転を停止する構成としたことを特徴とするもので、外部入力装置のスイッチを押すだけで、混入手段によって酸素富化装置からの高濃度の酸素は追焚き配管、追焚きアダプタから高濃度の酸素が気泡となって浴槽水の中を通過し、その後、浴室内に充満するようになる。また、吸気温度の上昇率より機器の燃焼状態を確実に検出することで燃焼中の排気が酸素富化装置に入らないように工夫されたものになる。この結果、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【００１１】
第３の発明は、前記第１の発明の酸素富化給湯装置において、機器の燃焼開始時に吸気温度検出手段により検出した吸気温度を記憶し、機器の燃焼中に吸気温度が低下した場合には前記記憶値を更新し、機器の燃焼中に吸気温度が前記吸気温度記憶値に対して所定温度以上上昇した場合には酸素運転を停止する構成としたことを特徴とするもので、外部入力装置のスイッチを押すだけで、混入手段によって酸素富化装置からの高濃度の酸素は追焚き配管、追焚きアダプタから高濃度の酸素が気泡となって浴槽水の中を通過し、その後浴室内に充満するようになる。また、燃焼中の排気が酸素富化装置に入らないように工夫されたものになる。この結果、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【００１２】
第４の発明は、前記第１の発明の酸素富化給湯装置において、機器の燃焼開始時に吸気温度検出手段により検出した吸気温度を記憶し、機器の燃焼中に吸気温度が低下した場合にはこの記憶値を更新し、機器の燃焼中に吸気温度が前記吸気温度記憶値に対して所定時間の間に所定温度以上上昇した場合には酸素運転を停止する構成としたことを特徴とするもので、外部入力装置のスイッチを押すだけで、混入手段によって酸素富化装置からの高濃度の酸素は追焚き配管、追焚きアダプタから高濃度の酸素が気泡となって浴槽水の中を通過し、その後、浴室内に充満するようになる。また、燃焼中の排気が酸素富化装置に入らないように工夫されたものになる。この結果、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【００１３】
第５の発明は、前記第１の発明の酸素富化給湯装置において、機器の燃焼開始時に吸気温度検出手段により検出した吸気温度を記憶し、機器の燃焼中に吸気温度が前記吸気温度記憶値に対して所定温度以上上昇した場合には酸素運転を待機状態とし、燃焼終了時には前記酸素運転を再開する構成としたことを特徴とするもので、外部入力装置のスイッチを押すだけで、混入手段によって酸素富化装置からの高濃度の酸素は追焚き配管、追焚きアダプタから高濃度の酸素が気泡となって浴槽水の中を通過し、その後、浴室内に充満するようになる。また、燃焼中の排気が酸素富化装置に入らないように工夫されたものになる。この結果、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【００１４】
第６の発明は、前記第１の発明の酸素富化給湯装置において、機器の燃焼開始時に吸気温度検出手段により検出した吸気温度を記憶し、機器の燃焼中に吸気温度が前記吸気温度記憶値に対して所定時間の間に所定温度以上上昇した場合には酸素運転を待機状態とし、燃焼終了時には酸素運転を再開する構成としたことを特徴とするもので、外部入力装置のスイッチを押すだけで、混入手段によって酸素富化装置からの高濃度の酸素は追焚き配管、追焚きアダプタから高濃度の酸素が気泡となって浴槽水の中を通過し、その後、浴室内に充満するようになる。また、燃焼中の排気が酸素富化装置に入らないように工夫されたものになる。この結果、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるものとなる。
【００１５】
以下、本発明の実施の形態について、図面を参照しながら説明する。なお、本実施の形態によって本発明が限定されるものではない。
【００１６】
（実施の形態１）
図１は、本発明の第１の実施の形態における酸素富化給湯装置の全体構成図を示すものである。
【００１７】
図１において、給湯装置本体９は、熱交換器１２を加熱するバーナ１０と、バーナ１０に燃焼空気を送るバーナファン１１と、燃焼空気の排気口１３と、給湯回路１４と、追い焚き循環回路２０を備え、前記給湯回路１４は給湯入口１５から入った水が熱交換器１２で加熱されて給湯出口１６から出、カラン１７等から吐出される。また、追焚き循環回路２０には浴槽の水位を検出する水位検出手段２９、風呂ポンプ１８が設けられ、循環ポンプ１８から供給される循環水はパイプ１９を通りながら熱交換器１２で加熱された後、追い焚きアダプター２２より浴槽２１に戻される。この追い焚き循環回路２０の途中には酸素富化装置２６で発生する高濃度の酸素を循環水に混入させる混入手段２７が配設されており、酸素運転が指示された場合、酸素富化装置２６の運転開始により前記混入手段２７を介して浴槽２１内に酸素富化空気が混入される。酸素富化装置２６は酸素富化膜２３と、空気を減圧して酸素富化膜２３の間に空気を通し高酸素濃度の空気を得るための真空ポンプ２４と、酸素富化膜２３に新鮮空気を送るための送風ファン２５で構成している。
【００１８】
酸素富化給湯装置９の制御手段３０は、複数の操作スイッチを備えた外部入力装置３１からの操作信号で所定のシーケンスに基づき、酸素運転を含む各種運転を制御する。また、燃焼ファン１１の近傍には吸気温度を検出する吸気温度検出手段３５が設けられ、検出された吸気温度の変化状況により燃焼状態であるか、非燃焼状態であるかを判断するようにしてある。
【００１９】
図２（ａ）は、本発明の第１の実施の形態における酸素富化給湯装置の外部入力装置３１の外観図、（ｂ）は操作フタ内部のスイッチ配設図である。
【００２０】
図２（ａ）において、外部入力装置３１の表面側に各種運転指示を行うスイッチを配設し、酸素運転スイッチ３２、自動スイッチ３３、追焚きスイッチ３４と、表示部３６と、操作フタ３７を設けてある。操作フタ３７を開けると図２（ｂ）に示すように、各種湯温設定、ふろ湯量設定の変更が可能なスイッチを配設してある。
【００２１】
以上のように構成された酸素富化給湯装置について、以下その動作・作用を説明する。
【００２２】
外部入力装置３１の酸素運転スイッチ３２を押すと、制御手段３０により水位検出装置２９が浴槽の湯を検出した場合には酸素運転を開始し、混入手段２７によって酸素富化装置２６からの高濃度の酸素は追焚き回路２０の中の湯または水に混入され、この酸素が混入された湯または水が浴槽２１に取り付けた追焚きアダプタ２２から噴出するときに、高濃度の酸素が気泡２８となって浴槽水の中を通過し、その後、浴室内に充満するようになる。さらに、機器の燃焼開始時に吸気温度検出手段３５により吸気温度を記憶し、機器の燃焼中に機器への吸気温度が前記吸気温度記憶値に対して、例えば１０度以上温度上昇した場合には燃焼の排気ガスが機器内部へ戻ってきていると判断し、新鮮な空気から高濃度の酸素をつくる酸素運転を停止する構成としたものである。
【００２３】
また、機器の燃焼開始時に吸気温度検出手段３５により吸気温度を記憶し、機器の燃焼中に機器への吸気温度が吸気温度記憶値に対して例えば１分間の間に５度以上温度上昇した場合には燃焼の排気ガスが機器内部へ戻ってきていると判断し、新鮮な空気から高濃度の酸素をつくる酸素運転を停止する構成としたものである。
【００２４】
また、機器の燃焼開始時に吸気温度検出手段３５により吸気温度を記憶し、機器の燃焼中には外気が流入して温度が下がる傾向にあり、機器への吸気温度が低下した場合には燃焼開始時の記憶値を更新し、機器の燃焼中に機器への吸気温度が更新された吸気温度記憶値に対して例えば１０度以上温度上昇した場合には燃焼の排気ガスが機器内部へ戻ってきていると判断し、新鮮な空気から高濃度の酸素をつくる酸素運転を停止する構成としたものである。
【００２５】
また、機器の燃焼開始時に吸気温度検出手段３５により吸気温度を記憶し、機器の燃焼中には外気が流入して温度が下がる傾向にあり、機器への吸気温度が低下した場合には燃焼開始時の記憶値を更新し、機器の燃焼中に機器への吸気温度が前記吸気温度記憶値に対して例えば１分間の間に５度以上温度上昇した場合には燃焼の排気ガスが機器内部へ戻ってきていると判断し、新鮮な空気から高濃度の酸素をつくる酸素運転を停止する構成としたものである。
【００２６】
また、機器の燃焼開始時に吸気温度検出手段３５により吸気温度を記憶し、機器の燃焼中に機器への吸気温度が吸気温度記憶値に対して例えば１０度以上温度上昇した場合には燃焼の排気ガスが機器内部へ戻ってきていると判断し、新鮮な空気から高濃度の酸素をつくる酸素運転を待機し、燃焼終了時には自動的に酸素運転を再開する構成としたものである。
【００２７】
また、機器の燃焼開始時に吸気温度検出手段３５により吸気温度を記憶し、機器の燃焼中に機器への吸気温度が吸気温度記憶値に対して例えば１分間の間に５度以上温度上昇した場合には燃焼の排気ガスが機器内部へ戻ってきていると判断し、新鮮な空気から高濃度の酸素をつくる酸素運転を待機し、燃焼終了時には自動的に酸素運転を再開する構成としたものである。
【００２８】
以上の構成により、外部入力装置のスイッチを押すだけで、混入手段によって酸素富化装置からの高濃度の酸素は追焚き配管、追焚きアダプタから高濃度の酸素が気泡となって浴槽水の中を通過し、その後浴室内に充満するようになる。
【００２９】
また、機器の燃焼開始時に吸気温度を記憶し、機器の燃焼中に機器への吸気温度が吸気温度記憶値に対して一定温度以上上昇した場合には燃焼の排気ガスが機器内部へ戻ってきていると判断し、新鮮な空気から高濃度の酸素をつくる酸素運転を停止する、または酸素運転は待機して燃焼終了時には自動的に酸素運転を再開する構成として、燃焼中の排気が酸素富化装置に入らないように工夫されたものになる。
【００３０】
以上の結果から、入浴中の人が高濃度の酸素を吸いながら湯につかることで、温浴効果を促進したり、リフレッシュ効果でリラックスして入浴することができ、また高濃度の酸素に排気ガスが混入する恐れがなく、安心して入浴時に使用できるものとなる。
【産業上の利用可能性】
【００３１】
以上のように本発明の酸素富化給湯装置は、外部入力装置のスイッチを押すだけで、入浴中の人が高濃度の酸素を吸いながら湯につかることで温浴効果を促進したり、リフレッシュ効果でリラックスして入浴することができ、また高濃度の酸素に排気ガスが混入する恐れがなく、安心して入浴時に使用できるもので、燃焼によりふろ追い焚きを行う機器を用いて高濃度の酸素を浴槽に混入する装置全般に適用できる。
【図面の簡単な説明】
【００３２】
【図１】本発明の第１の実施の形態における酸素富化給湯装置の全体構成図
【図２】（ａ）同酸素富化給湯装置の外部入力装置図の外観図（ｂ）同外部入力装置の操作フタ内部のスイッチ配設図
【図３】従来の全体構成図
【符号の説明】
【００３３】
１８  ポンプ
２０  追焚き循環回路
２１  浴槽
２２  追焚きアダプタ
２６  酸素富化装置
２７  混入手段
２９  水位検出手段
３０  制御手段
３１  外部入力装置
３５  吸気温度検出手段
【図１】
2005273939.tif 000003
【図３】
2005273939.tif 000004
【図２】
2005273939.tif 000005